(57)【要約】      （修正有）【課題】使用寿命が長く、耐荷重性が高く、調整操作が便利なバックル装置を提供する。【解決手段】バックル装置はベルトの長さを調整するために用いられ、主に第１本体ユニットと、ロックユニットを含み、該ロックユニットは概ね柱状体であり、収容空間内に設置され、２つの平行かつ間を隔てて設置された平面と、２つの該平面周縁に連接された側面４２と、２つの該平面の中心に貫通し、かつ第１横棒が挿通された支持孔４３を含み、該ロックユニットが該第１横棒を軸心として調整位置、第１ロック位置、第２ロック位置の間で回動され、該側面４２が第１曲部４２１と、該第１曲部４２１に連接された断面部４２２と、該断面部４２２に連接された第２曲部４２３と、該第１曲部４２１及び該第２曲部４２３に連接された第１突部４２４を備えている。【選択図】図６
0003218233.tif 000002
【実用新案登録請求の範囲】
【請求項１】
ベルトの長さの調整に適用するバックル装置であって、第１本体ユニットと、ロックユニットを含み、
前記第１本体ユニットが、囲んで収容空間が定義された第１本体と、該第１本体上に設けられた第１通孔と、該第１本体上に設けられた第２通孔と、該収容空間中に設置された第１横棒を含み、該第１本体が該収容空間に位置する底面部を備え、
前記ロックユニットが、柱状体であり、該収容空間内に設置され、該ロックユニットが、２つの平行かつ間を隔てて設置された平面と、２つの該平面周縁に連接された側面と、２つの該平面の中心に貫通し、かつ該第１横棒が挿通された支持孔を含み、該ロックユニットが該第１横棒を軸心として調整位置、第１ロック位置、第２ロック位置の間で回動され、該側面が第１曲部と、該第１曲部に連接された断面部と、該断面部に連接された第２曲部と、該第１曲部及び該第２曲部に連接された第１突部を備え、該第２曲部と該支持孔の距離が、該第１曲部と該支持孔の距離より小さく、
該ベルトが該第１通孔、第２通孔を通じて該収容空間に挿通され、かつ該ロックユニットに接触し、該ロックユニットが該調整位置まで回動されると、該断面部が該底面部に近付き、該断面部と該底面部の間の距離が該ベルトの厚さより小さくなく、該第１通孔から該ベルトを外側へ引き出して長さを調整でき、該ロックユニットが第１ロック位置まで回動されると、該第１曲部と該第１突部が該ベルトを該底面部上に押し当てて固定し、該ロックユニットが第２ロック位置まで回動されると、該第１曲部及び該第１突部が該ベルトを該底面部上に押し当てて固定し、該ベルトを該第１通孔から引き出せないようにすることを特徴とする、バックル装置。
【請求項２】
前記ベルトが該第２通孔から外側に向かって施力されると、該ロックユニットが該ベルトによって該調整位置まで回動され、該ベルトが該第２通孔から引き出されることを特徴とする、請求項１に記載のバックル装置。
【請求項３】
前記ロックユニットがさらに、該第１本体及び該ロックユニットに連接された第１弾性体を含み、該第１弾性体が該ロックユニットに対して施力し、該第２ロック位置まで回動させることを特徴とする、請求項２に記載のバックル装置。
【請求項４】
前記ロックユニットがさらに、調整押圧体を含み、かつ該第１本体に設けられた押圧孔と、該ロックユニット上に枢設され、該押圧孔から突出された調整バーと、該ロックユニット上に設けられ、該調整バーの押圧深さを規制できる規制平面を備え、該調整バーが外部の圧力を受けて該ロックユニットを該調整位置まで回動させることができることを特徴とする、請求項３に記載のバックル装置。
【請求項５】
前記第１本体がさらに、該収容空間内に設置され、該ロックユニットの回動角度を制限するために用いる位置規制突部を備えていることを特徴とする、請求項４に記載のバックル装置。
【請求項６】
前記側面がさらに、該第１突部と該第１曲部の間に設けられた第２突部を備えていることを特徴とする、請求項５に記載のバックル装置。
【請求項７】
前記第１本体ユニットがさらに第１突出体を含み、該第１突出体が、該第１本体から外側に延伸された第１平板と、該第１平板に設けられた第１通孔を備えていることを特徴とする、請求項６に記載のバックル装置。
【請求項８】
前記バックル装置がさらに第２本体ユニットを含み、該第２本体ユニットが、第２本体と、該第２本体内に設置され、該第１平板を挿入できる挿通孔と、該第２本体内に設置された第２横棒と、該第２横棒を軸心として回動可能な押圧レバーを含み、該押圧レバーが干渉位置と非干渉位置の間で回動可能であり、該押圧レバーが該干渉位置まで回動されると、該押圧レバーを該第１通孔内に挿通させて該第１突出体と相互に干渉させ、該第１本体と該第２本体を結合させることができ、該押圧レバーが該非干渉位置まで回動されると、該押圧レバーが該第１通孔を離脱して、該第１突出体が該挿通孔から抜出させることができることを特徴とする、請求項７に記載のバックル装置。
【請求項９】
前記押圧レバーが、該第２横棒に枢設された中段部と、該中段部の一端に設けられた押圧部と、該中段部の他方の一端に設けられたストッパ部を備え、該押圧レバーのストッパ部が下方向に屈折されて該中段部とＶ字形挟角を形成し、該第２本体内に該ストッパ部を配置可能な凹陥部が設けられ、該第１突出体が該挿通孔に挿通されて、該押圧レバーが該干渉位置にあるとき、該ストッパ部が該第１通孔に穿通され、該第１平板が該Ｖ字形挟角の位置に配置されることを特徴とする、請求項８に記載のバックル装置。
【請求項１０】
前記第２本体ユニットがさらに、該第２本体と該押圧レバーの間に連接された第２弾性体を含み、該押圧レバーを該非干渉位置から該干渉位置に弾性的に復帰させることができることを特徴とする、請求項９に記載のバックル装置。
【考案の詳細な説明】
【技術分野】
【０００１】
本考案はバックル装置に関し、特に、負い紐の長さを調整できるバックル装置に関する。
【背景技術】
【０００２】
早期リュックに使用されていた負い紐の長さを調整可能なバックルは、いずれもプラスチック材質で制作されており、リュック上の負い紐を複数回屈曲させる方法で該負い紐の表面摩擦力を高め、使用者が該バックルを使用して負い紐の長さを調整した後、該バックルが負い紐の相互の表面摩擦力で該負い紐の長さを固定するもので、使用者は適切な負い紐の長さを用いて該リュックを背負うことができる。
【０００３】
図１に示す中国台湾特許第Ｉ２５５６９７号のバックルを参照する。このバックル１０はリュック構造に使用され、連結具３Ｄの位置に用いるバックルであり、帯状体のベルト２（２Ａ）の長手方向へ移動可能かつ任意の位置で固定できる機能と、帯状体のベルト３（３Ａ）の長さを調整できる機能を備え、ある程度の剛性を有し、かつ所定幅の帯状体に形成したものをベルト２、３として用いている。
【０００４】
現有のバックル１０は、係止部材で挟持部を押さえて該ベルト２（２Ａ）の位置を固定し、相互の表面の摩擦力で長さを固定する早期の負い紐を改善して移動阻止機能を高めているが、実際の使用時にはまだ次のような欠点がある。
【０００５】
１、使用寿命が短い；
早期はコスト節約のため、バックルはプラスチック材質で制作されており、リュックが日光や雨に晒されると、プラスチック材質はすぐに劣化してしまい、該バックルの材質が分解されて使用寿命が短くなる状況が引き起こされる。
【０００６】
２、耐荷重性に優れない；
上述のプラスチック材質で製造されたバックルは使用寿命が短いだけでなく、プラスチック材質はやや軟質であるためリュックの荷重に制限があり、重すぎる物品に耐えられず、耐荷重性に優れない。
【０００７】
３、操作が不便である；
現有の係止部材３１は開閉して該バックル１０を該固定状態と固定解除状態間で移動でき、使用者がリュックを背負っているときに負い紐の長さを変えたいときは、該係止部材を開いて位置を移動する必要があり、操作時に不便である。
現在の負い紐の長さを調整可能なバックルの使用上の欠点を以下に改善し、使用者が迅速に負い紐の長さを調整できる利点を獲得するとともに、より長い使用寿命とより高い耐荷重性を得るかが、関連技術者の努力を要する課題である。
【先行技術文献】
【特許文献】
【０００８】
【特許文献１】中国台湾特許第Ｉ２５５６９７号明細書
【考案の概要】
【考案が解決しようとする課題】
【０００９】
これに鑑み、本考案の目的は、バックル装置を提供することにある。
【課題を解決するための手段】
【００１０】
本考案のバックル装置は、ベルト的長さの調整に適用され、第１本体ユニットと、ロックユニットを含み、
前記第１本体ユニットが、囲んで収容空間が定義された第１本体と、該第１本体上に設けられた第１通孔と、該第１本体上に設けられた第２通孔と、該収容空間中に設置された第１横棒を含み、該第１本体が該収容空間に位置する底面部を備え、
前記ロックユニットが、柱状体であり、該収容空間内に設置され、該ロックユニットが、２つの平行かつ間を隔てて設置された平面と、２つの該平面周縁に連接された側面と、２つの該平面の中心に貫通し、かつ該第１横棒が挿通された支持孔を含み、該ロックユニットが該第１横棒を軸心として調整位置、第１ロック位置、第２ロック位置の間で回動され、該側面が第１曲部と、該第１曲部に連接された断面部と、該断面部に連接された第２曲部と、該第１曲部及び該第２曲部に連接された第１突部を備え、該第２曲部と該支持孔の距離が、該第１曲部と該支持孔の距離より小さく、
該ベルトが該第１通孔、第２通孔を通じて該収容空間に挿通され、かつ該ロックユニットに接触し、該ロックユニットが該調整位置まで回動されると、該断面部が該底面部に近付き、該断面部と該底面部の間の距離が該ベルトの厚さより小さくなく、該第１通孔から該ベルトを外側へ引き出して長さを調整でき、該ロックユニットが第１ロック位置まで回動されると、該第１曲部と該第１突部が該ベルトを該底面部上に押し当てて固定し、該ロックユニットが第２ロック位置まで回動されると、該第１曲部及び該第１突部が該ベルトを該底面部上に押し当てて固定し、該ベルトを該第１通孔から引き出せないようにする。
【００１１】
そのうち、該ベルトが該第２通孔から外側に向かって施力されると、該ロックユニットが該ベルトによって該調整位置まで回動され、該ベルトが該第２通孔から引き出される。
【００１２】
そのうち、該ロックユニットはさらに該第１本体及び該ロックユニットに連接された第１弾性体を含み、該第１弾性体が該ロックユニットに対して施力し、該第２ロック位置まで回動させる。
【００１３】
そのうち、該ロックユニットはさらに調整押圧体を含み、該第１本体に設けられた押圧孔と、該ロックユニット上に枢設され、該押圧孔から突出された調整バーと、該ロックユニット上に設けられ、該調整バーの押圧深さを規制できる規制平面を備え、該調整バーが外部の圧力を受けて該ロックユニットを該調整位置まで回動させることができる。
【００１４】
そのうち、該第１本体はさらに、該収容空間内に設置され、該ロックユニットの回動角度を制限するために用いる位置規制突部を備えている。
【００１５】
そのうち、該側面はさらに、該第１突部と該第１曲部の間に設けられた第２突部を備えている。
【００１６】
そのうち、該第１本体ユニットはさらに第１突出体を含み、該第１突出体が、該第１本体から外側に延伸された第１平板と、該第１平板に設けられた第１通孔を備えている。
【００１７】
該バックル装置はさらに第２本体ユニットを含み、該第２本体ユニットが、第２本体と、該第２本体内に設置され、該第１平板を挿入できる挿通孔と、該第２本体内に設置された第２横棒と、該第２横棒を軸心として回動可能な押圧レバーを含み、該押圧レバーが干渉位置と非干渉位置の間で回動可能であり、該押圧レバーが該干渉位置まで回動されると、該押圧レバーを該第１通孔内に挿通させて該第１突出体と相互に干渉させ、該第１本体と該第２本体を結合させることができ、該押圧レバーが該非干渉位置まで回動されると、該押圧レバーが該第１通孔を離脱して、該第１突出体が該挿通孔から抜出させることができる。
【００１８】
そのうち、該押圧レバーは該第２横棒に枢設された中段部と、該中段部の一端に設けられた押圧部と、該中段部の他方の一端に設けられたストッパ部を備え、該押圧レバーのストッパ部が下方向に屈折されて該中段部とＶ字形挟角を形成し、該第２本体内に該ストッパ部を配置可能な凹陥部が設けられ、該第１突出体が該挿通孔に挿通されて、該押圧レバーが該干渉位置にあるとき、該ストッパ部が該第１通孔に穿通され、該第１平板が該Ｖ字形挟角の位置に配置される。
【００１９】
そのうち、該第２本体ユニットはさらに、該第２本体と該押圧レバーの間に連接された第２弾性体を含み、該押圧レバーを該非干渉位置から該干渉位置に弾性的に復帰させることができる。
【考案の効果】
【００２０】
本考案は、該ロックユニットが金属材質で制作され、該バックル装置の使用寿命を延長し、耐荷重性を高めることができ、使用者は該調整押圧体を利用して該ロックユニットを該調整位置まで回動させることで、該ベルトを拘束せずに自由に該第１本体内を通過させることができ、使用者が該ベルトの長さを便利に調整できるという利点を備えている。このほか、該第２通孔から該ベルトを引き出すとき、該ベルトが該ロックユニットを動かして該調整位置まで回動させることもできる。
【００２１】
使用者が該調整バーの下圧をやめる、または該第１通孔から該ベルトを外側に向かって引っ張ると、該ロックユニットが該第１ロック位置または該第２ロック位置まで回動され、該第１曲部と該支持孔の距離が該第１突部と該支持孔の距離より大きく、かつ該第１突部と該支持孔の距離が該第２曲部と該支持孔の距離より大きいため、該ロックユニットが該第２ロック位置にあるとき該ベルトを固定する力が該第１ロック位置より大きく、該ロックユニットが該第２ロック位置にあり、かつ該位置規制突部により規制されるとき、本考案のバックル装置は最大の固定力を得て、該ベルトを該第１通孔から引き出すことが困難になる。
【図面の簡単な説明】
【００２２】
【図１】中国台湾特許第Ｉ２５５６９７号のバックルを示す立体斜視図である。
【図２】本考案のバックル装置の実施例１のロックユニットを示す立体斜視図である。
【図３】実施例１の位置調整を示す側面図である。
【図４】実施例１の第１ロック位置を示す側面図である。
【図５】実施例１の第２ロック位置を示す側面図である。
【図６】本考案のバックル装置の実施例２のロックユニットを示す立体斜視図である。
【図７】実施例２の第１弾性体の動作を示す側面図である。
【図８】実施例２の調整押圧体の動作を示す側面図である。
【図９】本考案のバックル装置の実施例３を示す側面図である。
【図１０】本考案のバックル装置の実施例４の干渉位置を示す側面図である。
【図１１】実施例４の非干渉位置を示す側面図である。
【図１２】本考案のバックル装置の実施例５を示す上面図である。
【考案を実施するための形態】
【００２３】
以下、当業者が本考案をより理解して実施することができるように、図面と具体的な実施例を組み合わせ、本考案について詳細に説明するが、実施例は本考案を限定するものではない。
【実施例１】
【００２４】
図２、図３、図４、図５に本考案のバックル装置の実施例１を示す。本考案のバックル装置はベルトＡの長さを調整するために用いられ、第１本体ユニット３と、ロックユニット４を含む。
【００２５】
該第１本体ユニット３は、囲んで収容空間３１が定義された第１本体３２と、該第１本体３２上に設けられた第１通孔３３と、該第１本体３２上に設けられた第２通孔３４と、該収容空間３１中に設置された第１横棒３５を含み、該第１本体３２が該収容空間３１に位置する底面部３２１を備えている。該ベルトＡは該第１通孔３３、第２通孔３４を通じて該第１本体３２に挿通され、本考案の目的は、該ベルトＡを固定して該第１通孔３３から外に延伸される長さを得ることにある。
【００２６】
該ロックユニット４は概ね柱状体であり、該収容空間３１内に設置され、２つの平行かつ間を隔てて設置された平面４１と、２つの該平面４１周縁に連接された側面４２と、２つの該平面４１の中心に貫通し、かつ該第１横棒３５が挿通された支持孔４３を含み、該ロックユニット４が該第１横棒３５を軸心として調整位置、第１ロック位置、第２ロック位置の間で回動され、該側面４２が第１曲部４２１と、該第１曲部４２１に連接された断面部４２２と、該断面部４２２に連接された第２曲部４２３と、該第１曲部４２１及び該第２曲部４２３に連接された第１突部４２４を備えている。
【００２７】
該第１曲部４２１、該断面部４２２、該第１突部４２４、該第２曲部４２３が相互に組み合わせられて一周を形成し、該ロックユニット４の側面４２上に設けられ、該第２曲部４２３と該支持孔４３の距離が該第１突部４２４と該支持孔４３の距離より小さく、該第１突部４２４と該支持孔４３の距離が該第１曲部４２１と該支持孔４３の距離より大きくない。
【００２８】
該ベルトＡが該第１通孔３３、第２通孔３４を通じて該収容空間３１に挿通されたとき、該ロックユニット４に接触し、該ロックユニット４が該調整位置まで回動されると、該断面部４２２が該底面部３２１に近付き、その間の距離が該ベルトＡの厚さより小さくなく、該第１通孔３３から該ベルトＡを外側へ引き出して長さを調整でき、該ロックユニット４が第１ロック位置まで回動されると、該第１曲部４２１と該第１突部４２４が該ベルトＡを該底面部３２１上に押し当てて固定し、該ロックユニット４が第２ロック位置まで回動されると、該第１曲部４２１及び該第１突部４２４が該ベルトＡを該底面部３２１上に押し当てて固定し、該ベルトＡを該第１通孔３３から引き出せないようにする。
【００２９】
該実施例１のロックユニット４は金属材質を使用して制作され、寿命の長さと耐用性、負荷の受容度が高められる。ステンレス材質を使用して製造し、金属材質に発生する酸化を回避することが好ましい。このほか、該第１本体ユニット３も金属材質を使用して制造するか、その他の硬く剛性に優れた材質を利用して制作できる。実際の実施時に本考案を製造する材質は本考案の重点ではないため、これらに限らない。
【００３０】
図３、図４、図５に該実施例１のロックユニット４が該調整位置、該第１ロック位置及び該第２ロック位置まで回動された態様をそれぞれ示す。好ましくは、当該ロックユニット４が該調整位置まで回動されたとき、該ロックユニット４の断面部４２２と該第１本体３２の底面部３２１が平行となり、かつ距離が最も近くなる。該実施例１において、該ベルトＡは厚さと幅、長さを備えた軟質のベルトであり、該ロックユニット４の断面部４２２と該第１本体３２の底面部３２１の距離は該ベルトＡの厚さに等しく、該ベルトＡが該第１通孔３３、第２通孔３４間で移動でき、該ロックユニット４により阻止されず、使用者が該第１通孔３３から延伸されるベルトＡの長さを調整することができる。
【００３１】
該断面部４２２は該側面４２上の平面４１であり、該第２曲部４２３と該支持孔４３の距離が該断面部４２２の中心と該支持孔４３の距離より大きく、さらに該第１突部４２４と該支持孔４３の距離が該第２曲部４２３と該支持孔４３の距離より大きいため、該ロックユニット４が該第１ロック位置まで回動されると、該第２曲部４２３及び該第１突部４２４と該底面部３２１の距離がいずれも該ベルトＡの厚さより小さくなり、該ベルトＡが該ロックユニット４の第２曲部４２３及び第１突部４２４により該底面部３２１上に押し当てられ、該ベルトＡが該第１通孔３３、第２通孔３４間で移動しにくくなり、使用者は該第１通孔３３から延伸されるベルトＡの長さを固定することができる。
【００３２】
使用者がより大きな力で該ベルトＡを該第１通孔３３から引き出すと、該ロックユニット４を該第１ロック位置から該第２ロック位置に回動させることができ、このとき、該ロックユニット４の第１曲部４２１及び第１突部４２４が同時に該ベルトＡを該底面部３２１上に押し当て、かつ該第１曲部４２１と該支持孔４３の距離が該第１突部４２４と該支持孔４３の距離より大きいため、該第２ロック位置のロックユニット４に最大の規制力を具備させ、該ベルトＡが該第１通孔３３から引き出されないようにすることができ、使用者が該ベルトＡの長さを固定するために用いることができる。
【００３３】
該実施例１において、該第１曲部４２１と該支持孔４３の距離が該底面部３２１と該支持孔４３の距離より大きく、該ロックユニット４を該第２ロック位置まで回動させると該底面部３２１により押さえられ、該ロックユニット４を継続して回動させることができず、使用者が該ベルトＡを該第１通孔３３から引き出すとき、該バックル装置のロックユニット４が最大の反作用力を具備し、該ベルトＡが該第１通孔３３から引き出されるのを阻止する。
【００３４】
注目すべきは、本考案のロックユニット４は主に円柱体の偏心軸の観念に基づいており、回動時に円柱体の表面と該底面部３２１が異なる距離を有する特性により、該ベルトＡを固定して必要な長さを得るもので、これまでのバックルよりも大きな固定力を備えており、より大きな力に耐えることができ、最大の耐荷重性を備えている点である。このほか、使用者が比較的小さい力で該第１通孔３３のベルトＡを引っ張った場合、該第１ロック位置のロックユニット４がすでに支持の反作用力を備えており、該ベルトＡが該ロックユニット４により該第１本体３２内に固定される。実際の実施時、該ロックユニット４は三角柱状体、四角柱状体、或いは多角形柱状体等の形状としてもよく、偏心軸を利用して該ベルトＡをロックすることができる。本考案の最良の実施例は円柱形の柱状体を例としているが、これに限らない。
【００３５】
使用者が該第２通孔３４から該ベルトＡを引き出すと、該ベルトＡと該ロックユニット４が接触するときの摩擦力で該ロックユニット４を回動させることができ、該第２ロック位置から該第１ロック位置を経由して該調整位置まで回動され、使用者に該第１通孔３３から延伸されるベルトＡの長さを迅速に調整する機能を提供する。
【実施例２】
【００３６】
図６、図７、図８の本考案のバックル装置の実施例２を参照する。該実施例２は該実施例１とほぼ同じであり、同じ箇所については説明を省略する。異なるのは、該ロックユニット４がさらに該第１本体３２及び該ロックユニット４に連接される第１弾性体４４と、調整押圧体４５を含む点であり、該第１弾性体４４は該ロックユニット４に対して施力して該ロックユニット４を該第２ロック位置まで回動させる。
【００３７】
好ましくは、該第１弾性体４４は該第１横棒３５上に設置され、同時に該第１本体３２及び該ロックユニット４を支持し、該第１本体３２内に該ベルトＡがないとき、該第１弾性体４４が該ロックユニット４に対して施力して該ロックユニット４を該第２ロック位置まで回動させ、該ベルトＡが該第１本体ユニット３内に位置するとき、該第１弾性体４４が該ロックユニット４に対して施力して該第２曲部４２３に該調整位置で軽く該ベルトＡを押さえて固定させ、使用者が該第１通孔３３から該ベルトＡを引き出すと、該ロックユニット４が該ベルトＡにより回動されて、該調整位置から該第１ロック位置まで回動され、あるいはより大きな引張力で該ロックユニット４を該第２ロック位置まで回動させて、該ベルトＡが該第１通孔３３から引き出されないように阻止するために用いられる。
【００３８】
該調整押圧体４５は該第１本体３２に設けられた押圧孔４５１と、該ロックユニット４上に枢設され、該押圧孔４５１から突出された調整バー４５２と、該ロックユニット４上に設置され、かつ該調整バー４５２の押圧深さを遮る規制平面４５３を備え、該調整バー４５２は外部からの圧力を受けて該第１弾性体４４の該ロックユニット４に対する力に対抗し、さらには該ベルトＡが該第１通孔３３から外部に引き出される力にも対抗して、該ロックユニット４を該調整位置まで回動させることができる。
【００３９】
該実施例２において、該第１曲部４２１と該支持孔４３の距離は該底面部３２１と該支持孔４３の距離より大きくなく、該第１本体３２はさらに該収容空間３１内に設置された位置規制突出体３２２を備え、該ロックユニット４の回動角度を制限するために用いられ、該ロックユニット４が該第２ロック位置まで回動したとき該位置規制突出体３２２に回動が規制され、該ベルトＡが該第１通孔３３から外部に向かって施力されると、該ロックユニット４が該ベルトＡを該底面部３２１上に押し当て、かつ該位置規制突部３２２が反作用力を提供し、該ベルトＡが該第１通孔３３から引き出されないようにする。
【００４０】
好ましくは、該実施例２の第１弾性体４４は該第１本体３２の位置規制突部３２２上と、該ロックユニット４の規制平面４５３上を支持し、該位置規制突部３２２が該第１弾性体４４に支持力を提供し、該第１弾性体４４自体の弾力で該ロックユニット４を回動させる。ばねの種類は非常に多いため、実際の実施時はその他の弾性部材を採用することができ、これに限らない。
【００４１】
使用者が該ベルトＡの長さを短くしたいときは、該第２通孔３４から延伸されたベルトＡを直接引っ張ることができ、該ベルトＡは該第１弾性体４４と該第１通孔３３の外部からの引張力に抵抗し、該ロックユニット４を該調整位置まで回動させ、該ベルトＡを該第１通孔３３から該収容空間３１に進入させ、該第２通孔３４から引き出すことができ、該第１通孔３３から延伸されたベルトＡの長さを確実に短くすることができる。
【００４２】
反対に、使用者が該ベルトＡの長さを長くしたいときは、該押圧孔４５１から延伸された調整バー４５２を押圧することができ、該調整押圧体４５は該第１弾性体４４と該第１通孔３３の外部からの引張力に抵抗し、該ロックユニット４を該調整位置まで回動させ、使用者は該ベルトＡを該第１通孔３３の中から引き出して、該第１通孔３３から延伸されたベルトＡの長さを確実に長くすることができる。
【実施例３】
【００４３】
図９に本考案のバックル装置の実施例３を示す。該実施例３と該実施例２はほぼ同じであり、同じ箇所については説明を省略する。異なるのは、該側面４２がさらに該第１突部４２４と該第１曲部４２１の間に設置された第２突部４２５を備えている点である。
【００４４】
該ロックユニット４が該第２ロック位置まで回動されると、該第１突部４２４、該第１曲部４２１、その間にある第２突部４２５が同時に該ベルトＡに接触し、該ベルトＡを該底面部３２１上に押さえ、該ロックユニット４と該ベルトＡの間の固定力を増加し、該バックル装置の耐荷重性を高めるために用いることができる。
【００４５】
該実施例３において、該第１突部４２４と該第２突部４２５はいずれも断面が錐状の態様で実施され、さらに辺縁が錐状の態様である該第１曲部４２１も組み合わせ、該ロックユニット４が該第１ロック位置及び該第２ロック位置にあるとき、該ベルトＡを該底面部３２１上に押さえて固定することができる。実際に実施するとき、該第１突部４２４、第２突部４２５及び該第１曲部４２１の辺縁の形状は該ベルトＡを該第１本体３２内に固定できるその他の形状としても良く、これに限らない。
【実施例４】
【００４６】
図１０、図１１に本考案のバックル装置の実施例４を示す。該実施例４と該実施例２はほぼ同じであり、同じ箇所については説明を省略する。異なるのは、該第１本体ユニット３がさらに第１突出体３６を含み、該第１突出体３６が該第１本体３２から外部に向かって延伸された第１平板３６１と、該第１平板３６１に設けられた第１通孔３６２を備えている点である。
【００４７】
本考案のバックル装置はさらに第２本体ユニット５を含み、該第２本体ユニット５が第２本体５１と、該第２本体５１内に設置され、該第１平板３６１を挿入できる挿通孔５２と、該第２本体５１内に設置された第２横棒５３と、該第２横棒５３を軸心として回動可能な押圧レバー５４を含み、該押圧レバー５４が干渉位置と非干渉位置の間で回動可能であり、該押圧レバー５４が該干渉位置まで回動されると、該押圧レバー５４を該第１通孔３６２内に挿通させて該第１突出体３６と相互に干渉させ、該第１本体３２と該第２本体５１を結合させることができ、該押圧レバー５４が該非干渉位置まで回動されると、該押圧レバー５４が該第１通孔３６２を離脱して、該第１突出体３６を該挿通孔５２から抜出させることができる。
【００４８】
該押圧レバー５４は該第２横棒５３に枢設された中段部５４１と、該中段部５４１の一端に設けられ、該第２本体５１から突出された押圧部５４２と、該中段部５４１の他方の一端に設けられたストッパ部５４３を備え、該押圧レバー５４のストッパ部５４３が下方向に屈折されて該中段部５４１とＶ字形挟角５４４を形成し、該第２本体５１内に該ストッパ部５４３を配置可能な凹陥部５１１が設けられる。該第１突出体３６が該挿通孔５２に挿通されて該押圧レバー５４が該干渉位置にあるとき、該ストッパ部５４３が該第１通孔３６２に穿通されて、該第１平板３６１が該Ｖ字形挟角５４４の位置に配置される。
【００４９】
該第２本体ユニット５はさらに、該第２本体５１と該押圧レバー５４の間に連接された第２弾性体５５を含み、該押圧レバー５４を該非干渉位置から該干渉位置に弾性的に復帰させることができる。好ましくは、該第２弾性体５５は該第２横棒５３上に設置され、その一端が該第２本体５１内に当接され、他方の一端が該押圧レバー５４の表面上に当接される。
【００５０】
使用者が第１本体ユニット３と該第２本体ユニット５を結合したいときは、該第１平板３６１を該挿通孔５２に挿入し、該押圧レバー５４の底部を押して、該押圧レバー５４を該干渉位置から持ち上げる。このとき該第１平板３６１が該押圧レバー５４の底部に進入可能となる。該第１通孔３６２が該ストッパ部５４３の下方まで進入したとき、該ストッパ部５４３が該第１通孔３６２に入り、該凹陥部５１１に配置され、該第２弾性体５５が該押圧レバー５４を該干渉位置まで回動させ、該第１突出体３６と該押圧レバー５４が相互に干渉して該第１本体ユニット３と該第２本体ユニット５が一体として結合される。
【００５１】
ここで強調すべきは、本考案の考案者は該押圧レバー５４のストッパ部５４３を下方向に一定角度屈折させ、かつ該中段部５４１の構造高さを増加して、該ストッパ部５４３と該中段部５４１がＶ字形挟角５４４を形成している点であり、該第２本体ユニット５と結合した該第１本体ユニット３が外側に向かって引っ張られたとき、該第１突出体３６の第１通孔３６２が該Ｖ字形挟角５４４箇所に係止され、本考案のバックル装置は該第１本体ユニット３をしっかりと固定するだけでなく、より大きな引張力に抵抗し、該バックル装置により大きな耐荷重性を具備させることができる。
【００５２】
使用者が第１本体ユニット３と該第２本体ユニット５を分離したいときは、該押圧部５４２を押し下げて将該押圧レバー５４を該非干渉位置まで回動させ、該ストッパ部５４３を該第１通孔３６２から離脱させて、該押圧レバー５４と該第１突出体３６が分離させた後、該第１本体ユニット３を該第２本体ユニット５から分離させることができる。
【実施例５】
【００５３】
図１２に本考案のバックル装置の実施例５を示す。該実施例５と該実施例４はほぼ同じであり、同じ箇所については説明を省略する。異なるのは、該第２本体ユニット５がさらに第２突出体５６を含み、該第２突出体５６が該第２本体５１から外部に向かって延伸された第２平板５６１と、該第２平板５６１に設けられた第２通孔５６２を備えている点である。そのうち、該ベルトＡ１は該第１通孔３３から引き出されたベルトＡであり、該ベルトＡ２は該第２通孔３４から引き出されたベルトＡである。
【００５４】
該実施例５において、該調整押圧体４５は調整バー４５２及び該押圧レバー５４のストッパ部５４３をボタンの態様に設計することができ、使用者は該第１本体ユニット３を該第２本体ユニットに挿入して両者を一体として結合したとき、該ストッパ部５４３を押圧して該第１本体ユニット３、第２本体ユニット５を分離させることができる。
【００５５】
使用者が該ベルトＡ１の長さを調整したいときは、該調整押圧体４５の調整バー４５２をおして該第１通孔３３のベルトＡ１を外側に向かって引っ張り、該ベルトＡ１の長さを長くすることができる。該ベルトＡ１の長さを短くしたいときは、該第２通孔３４のベルトＡ２を直接引っ張り、該第１通孔３３のベルトＡ１の長さを迅速に短くすることができる。
【００５６】
使用者はさらに該第２通孔５６２を利用して該ベルトＡを該第２突出体５６で固定でき、本考案のバックル装置は多種類の用途に使用することができる。例えば、リュック上の調整ベルトＡの長さを使用するバックル、ベルト上のバックル、あるいはトラックで荷物を縛るベルトＡのバックル等として、使用者に該ベルトＡの長さの迅速な調整とロックが可能なバックル装置を提供する。
【００５７】
上述の説明から分かるように、本考案のバックル装置には以下のような利点がある。
１、より大きな引張力に耐えられる
本考案のロックユニット４は主に偏心の観念を利用して迅速に該ベルトＡをロックし、かつ該第１曲部４２１及び該第１突部４２４で該ベルトＡをロックする固定力を強化しており、さらに該第１突出体３６の第１通孔３６２が該第１本体３２、第２本体５１を結合したときに該押圧レバー５４のＶ字形挟角５４４箇所に係止されるため、本考案のバックル装置はより大きな引張力に耐えることができる。
２、ベルトの長さを迅速に調整できる
該調整バー４５２を押圧し、該ロックユニット４を該調整位置まで迅速に回動させ、使用者が該ベルトＡの長さを便利に長くすることができ、さらに該第２通孔３４のベルトＡを直接引っ張ることで、すぐに該ベルトＡの長さを短くすることができるため、使用者が該ベルトＡの長さを迅速に調整することができる。
３、迅速に結合できる
使用者は該第１本体ユニット３の第１突出部を該第２本体ユニット５内に直接押し入れ、該第１本体ユニット３、第２本体ユニット５を一体として結合することができ、該押圧レバー５４の押圧部５４２を押し動かして該第１本体ユニット３、第２本体ユニット５を分離でき、簡単かつ迅速な結合を達成できる。
【００５８】
上述をまとめると、本考案のバックル装置は該第１本体ユニット３に設置されたロックユニット４を利用して該調整位置、該第１ロック位置、第２ロック位置まで迅速に回動させることができ、本考案のバックル装置は該ベルトＡの長さを迅速に調整でき、より大きな耐荷重性を備えているだけでなく、その偏心設計のロックユニット４がさらにより迅速なロック速度を備え、さらに該第２本体ユニット５の押圧レバー５４を組み合わせ、該第１本体ユニット３、第２本体ユニット５を迅速に結合及び分離できるため、本考案の目的を確実に達成することができる。
【００５９】
以上で述べた実施例は本考案を充分に説明するためだけに挙げた最良の実施例であり、本考案の保護範囲はこれに限らない。当業者による本考案を基礎とした同等の代替または変換はいずれも本考案の保護範囲内に含まれる。本考案の保護範囲は実用新案登録請求の範囲の記載に準じる。
【符号の説明】
【００６０】
Ａ        ベルト
Ａ１      ベルト
Ａ２      ベルト
３        第１本体ユニット
３１      収容空間
３２      第１本体
３２１    底面部
３２２    位置規制突部
３３      第１通孔
３４      第２通孔
３５      第１横棒
３６      第１突出体
３６１    第１平板
３６２    第１通孔
４        ロックユニット
４１      平面
４２      側面
４２１    第１曲部
４２２    断面部
４２３    第２曲部
４２４    第１突部
４２５    第２突部
４３      支持孔
４４      第１弾性体
４５      調整押圧体
４５１    押圧孔
４５２    調整バー
４５３    規制平面
５        第２本体ユニット
５１      第２本体
５１１    凹陥部
５２      挿通孔
５３      第２横棒
５４      押圧レバー
５４１    中段部
５４２    押圧部
５４３    ストッパ部
５４４    Ｖ字形挟角
５５      第２弾性体
５６      第２突出体
５６１    第２平板
５６２    第２通孔
【図１】
0003218233.tif 000003
【図２】
0003218233.tif 000004
【図３】
0003218233.tif 000005
【図４】
0003218233.tif 000006
【図５】
0003218233.tif 000007
【図６】
0003218233.tif 000008
【図７】
0003218233.tif 000009
【図８】
0003218233.tif 000010
【図９】
0003218233.tif 000011
【図１０】
0003218233.tif 000012
【図１１】
0003218233.tif 000013
【図１２】
0003218233.tif 000014